(57)【要約】【課題】入力ペン収納部１０Ａの形状が異なる種々の携帯情報端末１０に収納することができ、しかも、入力ペンと分離された係止部材８を入力ペン収納部１０Ａに係合することにより、係止部材８の着脱を容易に行うことができる入力ペンを提供する。【解決手段】係止部材８に接続された紐あるいは金属線９を入力ペンの後端に接続する。この入力ペンを携帯情報端末１０の入力ペン収納部１０Ａに挿入し、係止部材８を入力ペン収納部１０Ａに係合する。また、係止部材８を入力ペン収納部１０Ａから外すことにより金属線９により接続された入力ペンが取り出せる。【選択図】          図１
2004227206.tif 000002
【特許請求の範囲】
【請求項１】
入力装置に用いられる入力ペンにおいて、入力装置の入力ペン収納部に係合する係止部材と入力ペンを紐あるいは金属線により接続したことを特徴とする入力ペン。
【請求項２】
係止部材に接続された紐あるいは金属線を入力ペンの後端に接続したことを特徴とする請求項１記載の入力ペン。
【請求項３】
金属線を、コイル状に巻回して構成したことを特徴とする請求項１又は２記載の入力ペン。
【請求項４】
係止部材に弾性片を設け、該弾性片が入力装置の入力ペン収納部に係合することを特徴とする請求項１記載の入力ペン。
【請求項５】
係止部材に弾性体により外方に付勢される係止駒を設け、該係止駒が入力装置の入力ペン収納部に係合することを特徴とする請求項１記載の入力ペン。
【請求項６】
筒体の両端に係止駒を内蔵し、この係止駒を弾性体により付勢して筒体の両端より適宜突出させて構成し、前記筒体を係止部材の開口孔に取り付け、係止駒が入力装置の入力ペン収納部に係合することを特徴とする請求項１記載の入力ペン。
【発明の詳細な説明】
【０００１】
【発明の属する技術分野】
本発明は、入力装置に収納されて携帯される入力ペンに関するものである。
【０００２】
【従来の技術】
従来、携帯情報端末等の入力装置に用いられる入力ペンは、入力装置を買った時に付属品として付いている入力ペンを使用している人もいるが、より機能が充実した入力ペンを購入して使用している人が非常に多かった。しかし、携帯情報端末の入力ペン収納部は、個々に内径や係止手段が異なっているために、それぞれの携帯情報端末に合わせた専用の入力ペンを購入する必要があった。
【０００３】
【発明が解決しようとする課題】
しかし、それぞれの携帯情報端末専用の入力ペンは、携帯情報端末が新しい機種に変更になった場合には使用できなくなってしまうものであった。また、入力ペンを購入した人が別の携帯情報端末に代えた場合にも、持っている入力ペンが使用できず、新たに買い換えなければならなかった。
【０００４】
【課題を解決するための手段】
本発明は、上記目的を達成するために、入力装置に用いられる入力ペンにおいて、入力装置の入力ペン収納部に係合する係止部材と入力ペンを紐あるいは金属線により接続したことを第１の要旨とする。また、係止部材に接続された紐あるいは金属線を入力ペンの後端に接続したことを第２の要旨とする。更に、金属線をコイル状に巻回して構成したことを第３の要旨とする。更にまた、係止部材に弾性片を設け、該弾性片が入力装置の入力ペン収納部に係合することを第４の要旨とする。更にまた、係止部材に弾性体により外方に付勢される係止駒を設け、該係止駒が入力装置の入力ペン収納部に係合することを第５の要旨とする。更にまた、筒体の両端に係止駒を内蔵し、この係止駒を弾性体により付勢して筒体の両端より適宜突出させて構成し、前記筒体を係止部材の開口孔に取り付け、係止駒が入力装置の入力ペン収納部に係合することを第６の要旨とする。
【０００５】
【実施例】
以下、図１及び図２に基づいて本発明の入力ペンを説明する。尚、図１の左側を前方とし右側を後方とする。先ず、合成樹脂製の前部軸筒１の前部孔１Ａに入力部材２を圧入固着する。この入力部材２の先端部を適宜丸めて入力部２Ａを形成する。
【０００６】
前部軸筒１の後部外面１Ｂにはステンレス等の金属パイプからなる中間部軸筒３が圧入固着される。この中間部軸筒３の後部にねじ駒４が圧入固着され、このねじ駒４に後部内軸５が着脱可能に螺合される。また、前部軸筒１の保持孔１Ｃにはボールペンレフィール６の尾端部６Ａが嵌合されるとともに、ボールペンレフィール６の筆記部６Ｂが前記後部内軸５の後端より後方に適宜突出する。尚、ボールペンレフィール６の尾端部６Ａは長手方向に切溝が形成されて撓み可能に構成されているので、適度の嵌合力が得られボールペンレフィール６の着脱が容易に行える構成となっている。
【０００７】
この後部内軸５には後部軸筒７が着脱可能に嵌合され、ボールペンレフィール６の筆記部６Ｂを後部軸筒７により保護する。尚、後部軸筒７の後端には開口孔７Ａが形成される。また、係止部材８には、内孔８Ａと、コ字型に切溝８Ｂを形成することにより撓み可能に構成される弾性片８Ｃが対向して形成され、該弾性片８Ｃは係止部材８の外周面より適宜外方に突出する。更に、係止部材８の後部８Ｄは球状に形成され、保持し易くなっている。
【０００８】
金属線９は中間部９Ａがコイル状に巻回して構成され、その一端が前記後部軸筒７の開口孔７Ａより挿入されるが、その端部が折り曲げられているので抜けが防止されて連結される。また金属線９の他端も折曲されて形成されるが、この折曲部９Ｂが前記係止部材８の内孔８Ａに圧入されて連結される。従って、後部軸筒７と係止部材８は金属線９により連結される。
【０００９】
以上のように構成された入力ペンは、図３に示したように携帯情報端末１０の入力ペン収納部１０Ａに挿入され、係止部材８の弾性片８Ｃが入力ペン収納部１０Ａの内面に圧接されて係合し、入力ペンが収納される。
【００１０】
また、入力ペンを取り出す場合には、係止部材８を外すことにより金属線９に連結された入力ペンが取り出される。そして、入力部材２をタッチパネルに押し付けることにより入力を行うことができる。
【００１１】
更に、ボールペンレフィール６を使用する場合には、後部軸筒７を外すことにより、ボールペンレフィール６の筆記部６Ｂが露出し、筆記を行うことができる。また、ボールペンレフィール６のインキが消耗して取り換える場合には、中間部軸筒３のねじ駒４から後部内軸５の螺合を外し、ボールペンレフィール６の筆記部６Ｂを指で保持して引き抜き、新しいボールペンレフィール６を装着する。
【００１２】
図４及び図５は本発明の係止部材における他の実施例を示すものである。係止部材１０８には前端より掘り込まれた内孔１０８Ａが形成され、該内孔１０８Ａには対向して凹溝１０８Ｅを形成する。更に、２つの凹溝１０８Ｅの適宜の位置に互いに対向する開口窓１０８Ｆをそれぞれ形成する。また、前記凹溝１０８Ｅに挿入可能な幅に係止駒１１を形成し、係止駒１１の略中間部天面に前記開口窓１０８Ｆと合致する突起１１Ａを形成する。更に、係止駒１１に、底面より伸びた凹穴１１Ｂを形成する。この係止駒１１を２個形成し、係止駒１１の凹穴１１Ｂにコイルスプリング１２の両端をそれぞれ圧入固着する。
【００１３】
この係止駒１１を、コイルスプリング１２を圧縮した状態で係止部材１０８の前端から挿入し、係止駒１１をそれぞれ係止部材１０８の凹溝１０８Ｅに挿入した状態で前進させる。すると、係止駒１１の突起１１Ａが係止部材１０８の開口窓１０８Ｆに挿入され、突起１１Ａが開口窓１０８Ｆより適宜突出する。
【００１４】
更に、固定駒１３は、その断面形状が係止部材１０８の内孔１０８Ａ及び凹溝１０８Ｅの断面形状と合致するように形成され、しかも、側面から中心部に紐１４を挿入するための切溝１３Ａが形成される。この固定駒１３に紐１４の一端を折り曲げて掛けるとともに紐１４を固定駒１３の切溝１３Ａに位置させる。この状態で固定駒１３を係止部材１０８の前端部に圧入固着し、紐１４を係止部材１０８の内孔１０８Ａと固定駒１３の間に挟持し固定する。この紐１４の他端は図示していないが入力ペンの後部軸筒に結んだり挟持したりして固定される。従って、係止部材１０８と入力ペンが紐１４により連結される。
【００１５】
図６及び図７は本発明の係止部材における更に他の実施例を示すものである。係止部材２０８には、前端より掘り込まれた内孔２０８Ａと、長手方向と直交する開口孔２０８Ｇが形成される。また、ステンレスパイプ製の筒体１５の両側に、先端が略半球状でかつ外鍔が形成された係止駒１１１をそれぞれ内蔵し、係止駒１１１間にコイルスプリング１２を張架する。また、筒体１５の両端を内側に変形させ、この筒体１５の両端で係止駒１１１の外鍔を受け止めることにより、係止駒１１１の先端を筒体１５の両端から適宜突出させる。尚、係止駒１１１は合成樹脂、ゴムあるいは金属等により構成される。この筒体１５を前記係止部材２０８の開口孔２０８Ｇに圧入固着し、係止駒１１１の先端が係止部材２０８の周面より適宜突出する。更に、係止部材２０８の内孔２０８Ａに金属線９の折曲部９Ｂが圧入され係止部材２０８と金属線９が連結される。
【００１６】
図８は本発明の係止部材における更に他の実施例を示すものである。係止部材３０８には、前端に紐１４を結ぶための環状部３０８Ｈが形成され、かつ略中間部周面に凹条溝３０８Ｉが形成される。更に、前記凹条溝３０８Ｉにゴム製のＯリング１６が取り付けられる。このＯリング１６が入力ペン収納部の内面に圧接されて係合する。また、係止部材３０８の環状部３０８Ｈには紐１４が結ばれ、係止部材３０８と紐１４が連結される。
【００１７】
【発明の効果】
以上詳述した本発明の入力ペンは、入力ペンと紐あるいは金属線で連結された係止部材が、入力装置の入力ペン収納部に係合して入力ペンが収納される。
【００１８】
従って、入力ペン収納部の形状が異なる種々の入力装置に係止部材が係合できるので、本発明の入力ペンは種々の入力装置に収納できるものである。
【００１９】
しかも、入力ペンと分離された係止部材が入力ペン収納部に係合するので、係止部材の着脱を容易に行うことができるとともに、係止部材が確実に係合するので、入力ペンが誤って外れる心配もなくなるものである。
【図面の簡単な説明】
【図１】本発明における入力ペンを示す平面図である。
【図２】本発明における入力ペンを示す断面図である。
【図３】本発明における入力ペンを携帯情報端末の入力ペン収納部に収納した状態を示す断面図である。
【図４】本発明の係止部材における他の実施例を示す要部拡大断面図である。
【図５】図４のＡ−Ａ線を示す拡大断面図である。
【図６】本発明の係止部材における更に他の実施例を示す要部拡大断面図である。
【図７】図６のＡ−Ａ線を示す断面図である。
【図８】本発明の係止部材における更に他の実施例を示す要部拡大部分断面図である。
【符号の説明】
８  係止部材
８Ｃ  係止部材８の弾性片
９  金属線
１１  係止駒
１４  紐
１５  筒体
１０８  係止部材
１１１  係止駒
２０８  係止部材
２０８Ｇ  係止部材２０８の開口孔
３０８  係止部材
【図１】
2004227206.tif 000003
【図２】
2004227206.tif 000004
【図３】
2004227206.tif 000005
【図４】
2004227206.tif 000006
【図５】
2004227206.tif 000007
【図６】
2004227206.tif 000008
【図７】
2004227206.tif 000009
【図８】
2004227206.tif 000010